(57)【要約】本発明は、熱、化学物質または日光曝露による熱傷などの種々の組織熱傷の処置における使用のためのスプレー式熱傷包帯群である。本発明のスプレー式包帯は、フィルム形成ポリマーおよび金属または酸化金属粒子を含む。金属または酸化金属、好ましくは酸化アルミニウムは、熱傷からの熱放散を強化するための熱伝導性成分として作用する。スプレー式包帯はまた、抗細菌剤、麻酔剤、鎮痛剤、または保存料を含有し得る。スプレー式包帯は、エアロゾル容器によってまたは手動ポンプスプレーによって投与され得る。【特許請求の範囲】
【請求項１】
フィルム形成ポリマーおよび酸化アルミニウム粒子を含む、スプレー式熱傷包帯。
【請求項２】
溶媒をさらに含む、請求項１に記載の包帯。
【請求項３】
ヘパランスルフェートをさらに含む、請求項２に記載の包帯。
【請求項４】
フィルム形成ポリマーが、メチルビニルエーテル／マレイン酸コポリマーであり、酸化アルミニウム粒子が、約５および約１００ナノメートルの間の直径を有し、イソプロパノールおよび水をさらに含有する、請求項１に記載の包帯。
【請求項５】
酸化アルミニウム粒子を備えるフィルム形成ポリマーを含む熱伝導性組成物を、熱傷へ適用することを含む、熱傷を処置する方法。
【請求項６】
エアロゾルスプレーを介して組成物が適用される、請求項５に記載の方法。
【請求項７】
約１％〜約２０％のメチルビニルエーテル／マレイン酸コポリマー、約１０％〜約９０％のイソプロパノール、約１０％〜約４０％の水、および約１０％〜約３０％の酸化アルミニウムマイクロ粒子を含む、熱傷包帯組成物。
【請求項８】
約２％のメチルビニルエーテル／マレイン酸コポリマー、約５０％のイソプロパノール、約２８％の水、および約２０％の酸化アルミニウムマイクロ粒子を含む、請求項７に記載の熱傷包帯。
【請求項９】
酸化アルミニウムマイクロ粒子が、約１０マイクロメートルの平均サイズを有する、請求項８に記載の熱傷包帯。
【請求項１０】
請求項１〜９のいずれか一項に従って作製される包帯を熱傷のある皮膚へ適用すること、および、該熱傷のある皮膚からの熱放散を向上することを含む、熱傷のある皮膚を治癒する方法。
【発明の詳細な説明】
【技術分野】
【０００１】
発明の背景
本ＰＣＴ出願は、35 U.S.C. § 119(e)の下、2013年10月21日に出願された「Spray-On Burn Dressing」と題する米国仮特許出願第61/893,355号の利益を主張するものであり、その開示の全体が参照により本明細書中に組み込まれる。
【背景技術】
【０００２】
熱損傷（burn injury）は、火、化学物質、電気および摩擦により生じ、かつ重症度が変わり得る。第１度熱傷（burn）は、最も軽度であり、発赤を生じ、比較的速やかに治癒する。そのスペクトルの対極として、第４度熱傷は最も重度であり、筋肉および骨のレベルにまで熱傷が達する。第２および第３度熱傷は、これら両極端の間に入る。
【０００３】
医療専門家は、熱傷をどのように処置するかを決めるときに、しばしばバランスを取るように試みる。一方では、熱傷が表面的であり比較的乾燥している場合、創傷を水またはある種の軟膏またはクリームで湿潤に保つことが望ましい可能性がある。しかしながら、多量の軟膏および／またはクリームを適用することによる問題は、かかる適用が、しばしば、創傷から熱を引き離すことに役立たないことにある。他方では、熱傷が、体液がにじみ出る第２度熱傷のように、より重症である場合、感染の虞が高まる。かかる状況において、医療専門家の中には、かかる創傷が比較的に乾燥な状態を維持するべきであると感じる者がいる一方で、他の者は、感染と戦うために抗生物質性質を具備した様々な軟膏包帯を適用することを推奨するかもしれない。よって、全世界での最善策を提供することが可能な処置戦略を策定することが望まれている。
【０００４】
1948年8月30日に、タイム誌（Time Magazine）は、爆発する機関車からの蒸気がエリー鉄道（Erie Railroad）の機関士Frank Mihlanを火傷させたと報告した。Mihlanが1948年7月15日にクリーブランド慈善病院（Charity Hospital）に運ばれたとき、彼の身体の70%が熱傷を負っており、医師らはMihlanが生き延びるチャンスは殆どないと考えた。しかしながら担当した外科医らは、TorontoのAlfred W. Farmer博士により開発された技術、アルミニウムホイルの薄型帯でMihlanの熱傷を包むこと、を試すことにした。米国でアルミニウムホイルを熱傷に使用したのはこれが初めてであり、全身の熱傷に使用されたのはこれが初めてであった。痛みからの解放は「奇跡的」であり、適用後20分以内に、Mihlanは心地よく休息していた。念のため、Mihlanには静脈内輸液およびペニシリンが与えられた。タバコのパッケージの内側のラッピングのように見えるアルミニウムホイルは、熱傷表面からしみ出る体液のためのシールとして作用したらしい。それはまた細菌を殺すのに役立ち、治癒過程を速めたようである。アルミニウムホイルで包んでバンデージされてから12日後、Mihlanは離床した。結局、Mihlanは、一次的に発赤はあったものの、瘢痕なしで退院した。
【０００５】
バンデージおよび包みは、熱伝導性の金属（アルミニウムなど）の薄型の層を、熱傷創傷に直接接触するように適応された基板の底部に組み込んでもよく、一方で、アルミニウム基板の上側は、熱的な伝導性質を強化することによって、熱傷をより速く冷却するのに役立つ、熱放散強化トポグラフィー（heat-dissipation-enhancing topography）を有する。かかる製品は、Freer, et al.へのAluminaidの米国特許番号8,530,720に説明されている。
【０００６】
スプレー式創傷包帯は、治癒過程の間に創傷を保護し、物理的可動性、痛み、および除去時の毛の剥離などの従来の包帯の一定の欠点を回避するための便利で簡単な手立てである。現在、アルミニウム（または他の金属）の医療的利点を採用する、一般大衆が入手可能な熱傷包帯製品はない。
【０００７】
便利なエアロゾルまたは手動ポンプスプレーとして消費者が安全に用いることが簡単なアルミニウムまたは他の金属が注入された治癒／治療包帯製品を開発することは、有利なことであろう。
【発明の概要】
【０００８】
本発明は、医療用品群であり、より具体的には、金属または酸化金属を含有するスプレー式熱傷包帯である。熱傷包帯は、熱傷によって生じる不快感を緩和し、痛みを軽減するように設計される。金属または酸化金属、およびとくに酸化アルミニウム（Ａｌ２Ｏ３）は、その効率的な熱伝達および創傷治癒特徴のために、包帯の成分として含有される。本発明の包帯は、熱放散を強化し、熱傷の治癒を補助するために、金属化質量を熱傷部位へ提供する。
【０００９】
金属または酸化金属は、ベース組成物を形成するためにフィルム形成ポリマーを含む液体またはゲル内に分散される。一態様において、アルミニウムが金属として選択される。一態様において、酸化アルミニウムが酸化金属として選択される。金属または酸化金属のマイクロ粒子（約０．１マイクロメートルより大きく、好ましくは約５から約１００マイクロメートルの間の直径）またはナノ粒子（約１００ナノメートルより小さい直径）は、フィルム形成ポリマー中に分散される。アルコール、酢酸エチル、または水などの溶媒が、金属または酸化金属をポリマー中に分散するためおよびポリマーを溶解するために用いられ得る。金属または酸化金属粒子の表面修飾は、溶媒中での粒子の安定性および適合性を増加させるために用いられ得る。１つのモノマーと粒子とのin situまたはエマルジョン重合は、粒子を分散するために用いられ得る。１つのモノマーと親水性基との、および、疎水性基を備えた１つのモノマーと金属または酸化金属粒子とのin situまたはミニエマルジョン共重合もまた、調製されたコポリマー中に金属または酸化金属粒子を分散するために用いられ得る。表面惹起化重合もまた、粒子分散ポリマー懸濁液を作製するために用いられ得る。好ましい特徴を達成するために、粘度は、ポリマーおよび金属または酸化金属の濃度を調整することによって、制御され得る。
【００１０】
本発明の別の側面は、スプレー式熱傷包帯を適用する方法に係る。一態様において、熱傷包帯は、エアロゾルスプレーを用いて適用される。別の態様において、熱傷包帯は、手動ポンプスプレーで適用される。各態様において、方法は、熱傷の治癒を補助するための熱放散を強化。スプレー式熱傷包帯は、約１分未満、およびより好ましくは約３０秒未満の乾燥時間を有することが好ましい。患者の快適さを強化するために、スプレー式熱傷包帯は乾いた場合も柔軟であり続けることが好ましい。
【００１１】
種々の添加剤を、ベース組成物へ添加し得、これには、金属または酸化金属表面物性を改良するためまたは組成物の安定性を強化するための界面活性剤；細菌増殖を抑制し創傷治癒を補助するための抗細菌剤；痛みを軽減させる麻酔剤および鎮痛剤；組成物の有効期間を増加させるための保存料；またはスプレー容器の腐食を軽減または排除するための防腐剤が含まれる。
【００１２】
一態様において、ヘパランスルフェートが、創傷治癒の凝固剤および促進剤として含有される。
【００１３】
発明の詳細な説明
熱エネルギー伝達は、伝導、対流および放射の３つの観点で説明することができる。伝導は、物理的接触（ワイヤーにおける電気の流れに類似した）を必要とする。対流は、分子の移動から生じる（例えば、加熱および冷却された水、または他の液体が、上下移動するように）。放射は、直接的接触を必ずしも伴わない（例えば、太陽が光線を放つように）。
【００１４】
任意に与えられた温度において、与えられた質量のアルミニウムは、同等の質量のヒトの肉より、はるかにより少ないエネルギーしか保持しない。例えば、対流または伝導において、料理の過程でオーブンからのアルミニウムホイルを触る場合、対象の手とホイルとは、熱エネルギーを共有する。手（より大きな質量）は、温度を上昇させるために、はるかにより多くのエネルギーを必要とする（ホイルと食品との間の物理的接続に依存していたとしても）。対象がアルミニウムホイルに触るとき、ホイルは、熱を肉に伝達するが、アルミニウムの低い比熱容量のため、ホイルはすぐにエネルギーを失い、接触している皮膚の温度をわずかに上昇させるのがやっとである。アルミニウムホイルは、伝導された熱を効果的に蓄えないため、熱傷の「冷却」を容易にする。
【００１５】
アルミニウムは、伝導された熱を効果的に蓄えないが、それにもかかわらず、アルミニウムは、優れた熱の伝導体である。アルミニウムは、発生源から熱を外へ伝導し、その周囲へ熱を直ちに与える。これは、熱の発生源に対する冷却効果を有する。アルミニウムは、対象の体温の効果的な伝導体であることができ、対象の熱傷上に加えられた熱感から生じる痛みを緩和する。
【００１６】
本発明のスプレー式熱傷包帯は、強化された熱放散のために金属または酸化金属を含有する。本発明の包帯は、日光曝露、火、化学物質、電気または摩擦に起因するものを含む熱傷によって生じる不快感および痛みを緩和するように設計される。金属または酸化金属は、その効果的な熱伝達および創傷治癒特徴のために、包帯の成分として含有される。本発明の包帯は、効果的な熱伝達特徴のために、かゆみ、炎症または発疹に起因する痛みを緩和するためにもまた用いられ得る。
【００１７】
種々の金属または酸化金属が本発明の包帯に用いられ得、好ましい金属または酸化金属は、効率的な熱伝達の質を有するものである。金属または酸化金属はまた、毒性、化学反応性、表面荷電、または溶媒的合成などの追加的な質に基づいても選択され得る。とくに好ましい酸化金属は、その熱伝導性のため、酸化アルミニウム（Ａｌ２Ｏ３）である。
【００１８】
好ましい熱伝導性の金属には、アルミニウム、銀、金、銅、マグネシウム、タングステン、チタニウム、および白金が含まれる。他の好ましい金属には、鉄、ニッケル、亜鉛、スズ、およびパラジウムが含まれる。１つの好ましい態様において、金属はアルミニウムである。１つの金属または２つ以上の金属が用いられ得る。一態様において、アルミニウムおよび銀マイクロ粒子の両方が包帯に存在する。これらの金属に実質的に基づく合金および他の生体適合性金属合金もまた、用いられ得る。かかる合金は、アルミニウム合金、クロム／モリブデン／鉄合金、またはアルミニウム／マグネシウム合金を含む。１つの好ましいアルミニウム合金は、少なくとも約９０％のアルミニウムを含有する。１つの好ましいアルミニウム合金は、少なくとも９２％のアルミニウムおよび約５％のマグネシウムを含有する。１つの金属合金または２つ以上の金属合金が用いられ得る。
【００１９】
好ましい酸化金属は、酸化アルミニウム、酸化亜鉛、酸化銀、酸化銅、酸化マグネシウム、二酸化チタニウム、酸化スズ、および酸化鉄を含む。とくに好ましい酸化金属は、酸化アルミニウムであり、別のとくに好ましい酸化金属は、酸化亜鉛である。１つの酸化金属または２つ以上の酸化金属が用いられ得る。別の好適な酸化物は、二酸化シリコンである。
【００２０】
一態様において、熱傷包帯は、１つまたは２つ以上の熱伝導性の金属、金属合金または酸化金属を含む。一態様において、熱傷包帯は、熱伝導性を強化するために、アルミニウム金属粒子および酸化アルミニウム粒子を含む。
【００２１】
本発明で採用される金属または酸化金属は、好ましくは、マイクロ粒子（約０．１マイクロメートルより大きく、および好ましくは約５から約１００マイクロメートルの間の直径）またはナノ粒子（約１００ナノメートルより小さい直径）としてサイズ分類される。金属または酸化金属粒子は、好ましくは約５〜約１００マイクロメートルの範囲にある。一態様において、酸化アルミニウム粒子の直径は、約１００ナノメートル未満である。別の態様において、酸化アルミニウム粒子は、約１０マイクロメートルである。
【００２２】
金属または酸化金属は、ベース組成物を形成するために、フィルム形成ポリマーを含む液体またはゲル内に分散される。フィルム形成ポリマーは、合成または天然であり得る。好適なフィルム形成ポリマーは、アルギン酸ナトリウム、セルロースおよびセルロース誘導体、ポリエチレングリコールおよびそのコポリマー、ポリアクリレートおよびそのコポリマー、ポリ（メチルアクリレート）およびそのコポリマー、ポリアクリルアミドおよびそのコポリマー、ポリビニルアセテートおよびそのコポリマー、ポリビニルピロリドンおよびそのコポリマー、ポリウレタンおよびそのコポリマー、ならびにポリイソブチレンおよびそのコポリマーであり得る。他の好適なポリマーは、ポリ（メチルビニルエーテル−コ−マレイン酸）のモノアルキルエステルのコポリマーを含む。好適なポリマーの例は、Ashland Inc.から商業的に入手され得、Gantrez(GantrezポリマーＡ−４２５、ＥＳ−２２５、ＥＳ−３３５、ＥＳ−４２５、ＥＳ−４３５、およびＳＰ−２１５を含む）という商品名で販売される。他の好適なポリマーは、ポリ（ヘキサメチルジシロキサン−コ−アクリレート−コ−フェニルメチルシロキサン）、ニトロセルロース、またはエチルセルロースを含む。なお他の好適なポリマーは、ポリ（エトキシエチルメタクリレート）；ポリ（エチルヘキシルアクリレート−コ−ジメチルアミノエチルメタクリレート−コ−ｔ−ブチルアクリルアミド）；ポリ（２−エチルヘキシルアクリレート−コ−ブチルアクリルアミド）；ポリ（カプロラクトン）およびそのコポリマー；ゼラチン；ポリ（ジラクチド）およびそのコポリマー；ポリ（オキシエチレン−コ−オキシプロピレン）；ゲランガム；キサンタンガム；およびデンプンおよびその誘導体、およびキトサンおよびその誘導体を含む。
【００２３】
１つのフィルム形成ポリマーまたは２つ以上のフィルム形成ポリマーが用いられ得る。好ましいフィルム形成ポリマーは、ポリアクリレートコポリマー（Avalure AC 120, Lubrizol）、ポリウレタンコポリマー（Avalure UR 450, Lubrizol）、メチルビニルエーテル／マレイン酸コポリマー（Gantrez, Ashland）、ＰＶＭ／ＭＡコポリマー（Omnirez 2000, Ashland）、およびセルロース誘導体を含む。
【００２４】
フィルム形成ポリマーは、製造されるフィルムの質に基づいて選択され得る。好ましいフィルムは、熱傷を環境細菌および汚れから保護する；好ましいフィルムは、包帯と熱傷との間の水性液体の蓄積を防ぐための保湿蒸気透過性を有する；好ましいフィルムは、無毒で、非刺激性で、かつ、適用時に皮膚を熱傷させず、または刺激しない；好ましいフィルムは、所望された場合に直ちに除去可能であるべきである；好ましいフィルムは、均一であり、亀裂を生じない。一態様において、フィルムは、耐水性である；一態様において、フィルム形成ポリマーは、アクリレートコポリマーである。一態様において、フィルムは、水で洗浄可能である；一態様において、フィルム形成ポリマーは、ポリビニルアルコール、ポリビニルピロリドン、ポリビニルアセテート、またはポリエチレングリコールから選択される；一態様において、フィルム形成ポリマーは、ヒドロキシプロピルセルロース、セルロースアセテートブチレート、またはアルギネートから選択される。一態様において、フィルムは、皮膚へ接着し、温水または冷水で洗い落とされないが、石鹸水では洗い落とされることができる。フィルム形成ポリマーはまた、フィルムを形成するために必要とされる時間に基づいて選択され得る；高粘度ポリマー（溶媒の非存在下でまたは低量の溶媒とともに用いられる）は、スプレーするのに困難を生じ得る高粘度を有する溶液を生じ得る。
【００２５】
好ましいフィルムは、頑丈で、柔軟で、かつ均一で亀裂がなく、タックフリーの接着を呈する。スプレー式包帯は、約１分未満、およびより好ましくは約３０秒未満でタックフリーであることが好ましい。
【００２６】
金属または酸化金属粒子が包帯中で均等に分散され、沈殿しないことを保証することが、本発明の目標である。溶媒は、金属または酸化金属をポリマーにおいて分散し、およびまたポリマーを溶解するために用いられ得る。好ましい溶媒は、水、メタノール、エタノール、プロパノール、イソプロパノール、アセトン、酢酸エチル、プロピレングリコール、グリセリン、ジエチルエーテル、およびそれらの混合物を含む。好ましい溶媒は、イソプロパノール、水、エタノール、酢酸エチル、およびそれらの混合物を含む。
【００２７】
スプレー式包帯を作製する１つの方法は、フィルム形成ポリマーを溶媒とともに混合すること、そして酸化金属粒子を添加することを含む。次いで成分は、均一になるまで、約２０〜約３０℃の温度で攪拌される（超音波処理ありまたはなしで）。特に規定しない限り、パーセンテージは重量／重量として報告される。
【００２８】
一態様において、２．０グラムのGantrezポリマーメチルビニルエーテル／マレイン酸コポリマーが、５０ｍｌの脱イオン水および２８グラムのイソプロパノールと、好適な入れ物において組み合わされ、これらの成分は、約４０〜約６０℃で、透明な溶液が形成されるまで、混合される。次に、２０グラムの酸化アルミニウム粒子が、混合物に添加され、２０〜約３０℃で、全ての粒子が包帯中で均一に分散されるまで攪拌される。
【００２９】
１つのスプレー式包帯は、約１％〜約２０％のフィルム形成ポリマー、約１０％〜約９０％のイソプロパノール、約１０％〜約４０％の水、および約１０％〜約３０％の酸化金属マイクロ粒子を含む。１つのスプレー式包帯は、約１％〜約３％のフィルム形成ポリマー、約４０％〜約６０％のイソプロパノール、約２０％〜約３０％の水、および約１０％〜約３０％の酸化金属マイクロ粒子を含む。１つのスプレー式包帯は、約２％のフィルム形成ポリマー、約５０％のイソプロパノール、約２８％の水、および約２０％の酸化金属マイクロ粒子を含む。一態様において、スプレー式包帯は、約５％のポリ（アクリレート−コ−オクチルアクリルアミド）コポリマー、約６０％のイソプロパノール、約１５％の水、および約２０％の酸化アルミニウムマイクロ粒子を含む。この態様において、酸化アルミニウムマイクロ粒子の平均サイズは約１０マイクロメートルである。
【００３０】
包帯の粘度は、ポリマーおよび金属または酸化金属の濃度を調整することによって、制御されることができる。Tween 80、Span 80またはPluronic F-127などの界面活性剤は、金属または酸化金属表面物性を改良して、安定性を強化するためおよびフィルム形成ポリマー内での分散を強化するために、用いられ得る。
【００３１】
本発明の１つの側面は、熱傷包帯を適用する方法に係り、そして本発明の別の側面は、スプレー式包帯を熱傷へ適用することによって、熱傷を処置する方法に係る。一態様において、熱傷包帯は、エアロゾルスプレーを用いて適用される。別の態様において、熱傷包帯は手動ポンプスプレーで適用される。手動ポンプスプレーの態様において、創傷包帯組成物は、手動スプレーに動作可能に接続された缶またはボトルに入れられる。エアロゾルの態様において、創傷包帯組成物は、圧力下で噴霧剤とともに、バルブ（作動装置、マウンティングカップ、軸、軸ガスケット、ばね、ハウジングおよびディスチューブ（distube）を含む）に動作可能に接続された缶またはボトルに入れられる。
【００３２】
エアロゾルの態様において、好適な噴霧剤は、圧縮ガス（窒素、二酸化炭素、酸化窒素、および空気など）、炭化水素（プロパン、イソブタン、ブタンおよびイソペンタンなど）、ジメチルエーテル（ＤＭＥ）およびフッ化炭素（HFC 134aおよびHFC 152aなど）を含む。
【００３３】
エアロゾルの態様において、ボトルの内表面はコーティングされていてもいなくてもよく、コーティングは、例えば、エポキシまたはポリアミドを含み得る。エアロゾルの態様において、バルブ軸は、例えばゴムを含む種々の材料から作製され得る。
【００３４】
エアロゾルの態様において、ボトル材料（金属、ガラス、プラスチック）、寸法、バルブ要素、内圧およびボトル内部コーティングなどの因子は、選択された噴霧剤や熱傷包帯の最終組成物に依存して変化され得る。
【００３５】
イソプロパノールを溶媒として含有するエアロゾルの態様において、ジメチルエーテルがエアロゾル噴霧剤として用いられる場合、イソプロパノールの一部または全部が排除され得ることが予想される。
【００３６】
スプレー式の技術を用いて熱傷へ包帯を適用することが好ましい一方で、包帯は、ブラシまたはヘラなどの道具で熱傷へ適用され得、回転塗布式の適用材を用いて適用され得、または、チューブまたはパックから大容量で傷へ直接適用され得る。
【００３７】
全ての場合において、熱傷包帯は、治癒を補助するために熱傷からの熱放散を強化するために、熱傷に関連する部位へ適用される。とくに、熱傷包帯は、熱傷から熱を外へ伝導し、周囲環境へその熱を直ちに与え、これは冷却効果を有する。
【００３８】
種々の添加剤を、創傷包帯組成物へ添加し得、これには、細菌増殖を抑制し創傷治癒を補助するための抗細菌剤；痛みを軽減させる麻酔剤および鎮痛剤；組成物の有効期間を増加させるための保存料；包帯の見た目また香りを強化するための香料、染料または顔料；あるいはスプレー容器の腐食を軽減または排除するための防腐剤が含まれる。これら剤の各々は、熱傷包帯において、約２．０％未満、約１．０％未満、または約０．５％未満の量で存在し得る。
【００３９】
抗細菌剤は、金属イオン（銀イオンまたは銅イオンなど）または金属塩（硝酸銀、乳酸銀またはクエン酸銀）、金属ナノ粒子（銀ナノ粒子など）、抗細菌性ペプチド、第４級アンモニウム化合物、トリクロサン、ヨウ素、ＰＶＰヨウ素、フェノール化合物、グルコン酸クロルヘキシジン、ポリヘキサミド（polyhexamiede）、銀スルファジアジン、オクテニジン、ならびに、スルファート、ベータ−ラクタム、フルオロキノロン、アミノグリコシド、糖ペプチド、オキサゾリジノン、バクテリオシンまたはテトラサイクリンなどの抗生物質を含み得る。好ましい態様において、銀イオンが熱傷包帯に含有される。麻酔剤および鎮痛剤は、リドカイン、ベンゾカイン、プロカイン、アロエ、メントール、パラセタモール、非ステロイド性抗炎症薬およびオピオイド薬を含み得る。抗生物質、麻酔剤、および鎮痛剤は、熱傷包帯中で、約２．０％未満の量で存在し得る。
【００４０】
好ましくは、スプレー式熱傷包帯は、約４．０〜約７．５のｐＨを有する。一態様において、スプレー式熱傷包帯は、約４．０〜約７．０のｐＨを有する。一態様において、スプレー式熱傷包帯は、皮膚のものと似たｐＨである約５．５〜約６．０を有する。一態様において、スプレー式熱傷包帯は、皮膚のものよりも高いｐＨである約６．０〜約７．５を有する。
【００４１】
一態様において、ヘパランスルフェートが、凝固剤および創傷治癒の促進剤として熱傷包帯に含有される。一態様において、創傷治癒を速めるために、ヘパリン、デルマタンスルフェート、ケラチンスルフェート、コンドロイチン−４およびコンドロイチン−６−スルフェートを含む他のグリコサミノグリカン、ならびに、ヒアルロン酸が、追加されることができる。
【００４２】
本発明は、種々の範囲の多数の態様において図示および説明されたが、当業者には瞬時に明らかなように、本発明の精神および範囲内で、変形がなされ得る。したがって、添付のクレームに記載されている発明の範囲が、明示的に提供されている場合を除いて、先述の説明のいかなる具体的な文言によって限定されることを意図するものではない。
【国際調査報告】
2016533792.tif 000002
2016533792.tif 000003
2016533792.tif 000004
2016533792.tif 000005
2016533792.tif 000006
2016533792.tif 000007